(57)【要約】  本発明は、情報（ＩＮＦＯ）を処理する方法に関する。上記情報はコンテント（ＣＯＮＴ１−ＣＯＮＴ３）を含む。上記方法においては、上記情報にデジタルイメージングを受けさせ、上記デジタル的にイメージされた情報内のコンテントに１つまたはそれ以上の動作を受けさせる。上記コンテントに受けさせる動作の少なくとも若干は、上記情報に関連付けてフィットさせた制御情報（７０．１、７０．２、７１．１、７２．１、７２．２、７３．１―７３．４）に基づいて決定される。【選択図】図１
2008519344.tif 000002
【特許請求の範囲】
【請求項１】
情報（ＩＮＦＯ）を処理する方法において、上記情報（ＩＮＦＯ）はコンテント（ＣＯＮＴ１−ＣＯＮＴ３）を含み、上記方法は、
―  上記情報にデジタルイメージングを受けさせるステップと、
―  上記デジタル的にイメージされた情報（ＩＮＦＯ）内の上記コンテント（ＣＯＮＴ１−ＣＯＮＴ３）に１つまたはそれ以上の動作を受けさせるステップと、
を含み、
上記コンテント（ＣＯＮＴ１−ＣＯＮＴ３）に受けさせる上記動作の少なくとも若干は上記情報（ＩＮＦＯ）に関連してフィットさせた制御情報（７０．１、７０．２、７１．１、７２．１、７２．２、７３．１−７３．４）に基づいて決定される、
ことを特徴とする方法。
【請求項２】
上記制御情報（７０．１、７０．２、７１．１、７２．１、７２．２、７３．１−７３．４）は、上記情報（ＩＮＦＯ）内の上記コンテント（ＣＯＮＴ１−ＣＯＮＴ３）に接続されていることを特徴とする請求項１に記載の方法。
【請求項３】
上記動作は、ある確立された順序で遂行されることを特徴とする請求項１または２に記載の方法。
【請求項４】
上記制御情報は、ある動作を表す情報（７０．１、７０．２、７１．１）、及び上記動作が遂行される順序を表す情報（７３．１−７３．４）を含むことを特徴とする請求項１−３の何れかに記載の方法。
【請求項５】
上記制御情報は、ある動作を受けさせるコンテント（ＣＯＮＴ１−ＣＯＮＴ３）を定義する情報（７２．１、７２．２）を含むことを特徴とする請求項１−４の何れかに記載の方法。
【請求項６】
上記動作は、上記コンテント（ＣＯＮＴ１−ＣＯＮＴ３）を、上記制御情報（７０．１、７０．２、７２．２）から認識された少なくとも１つのターゲット（５０、５５、７１．１）へ導くことを含むことを特徴とする請求項１−５の何れかに記載の方法。
【請求項７】
上記ターゲットは、少なくとも１つのアプリケーションプログラム（５０、５５）であることを特徴とする請求項１−６の何れかに記載の方法。
【請求項８】
上記コンテント（ＣＯＮＴ１−ＣＯＮＴ３）は、例えばオブジェクトを含む上記アプリケーションプログラム（５０、５５）の適用可能なフォーマットに変換されることを特徴とする請求項１−７の何れかに記載の方法。
【請求項９】
上記ターゲットは、例えばＥメールプログラム（５５）のようなデータ伝送アプリケーションであることを特徴とする請求項１−８の何れかに記載の方法。
【請求項１０】
上記ターゲットは、上記コンテント（ＣＯＮＴ１−ＣＯＮＴ３）が伝送される１つまたはそれ以上のアドレス識別子（７１．１）であることを特徴とする請求項１−９の何れかに記載の方法。
【請求項１１】
少なくとも上記制御情報（７０．１、７０．２、７１．１、７２．１、７２．２、７３．１−７３．４）の認識に、パターン認識知識（１４、１５）が適用されることを特徴とする請求項１−１０の何れかに記載の方法。
【請求項１２】
上記イメージされた情報（ＩＮＦＯ）は、上記電子機器において視覚化されることを特徴とする請求項１−１１の何れかに記載の方法。
【請求項１３】
電子機器（１０）であって、
―  コンテント（ＣＯＮＴ１−ＣＯＮＴ３）を含む情報をデジタルイメージングするために上記機器（１０）に関連して配列されている第１の手段（ＣＡＭ）と、
―  上記デジタル的にイメージされた情報（ＩＮＦＯ）内の上記コンテント（ＣＯＮＴ１−ＣＯＮＴ３）に１つまたはそれ以上の動作を受けさせるプロセッサ手段（ＣＰＵ、１２、１３）と、
を含み、
上記プロセッサ手段（ＣＰＵ、１２、１３）は、上記情報（ＩＮＦＯ）から制御情報（７０．１、７０．２、７１．１、７２．１、７２．２、７３．１−７３．４）を認識するようになっており、上記プロセッサ手段（ＣＰＵ、１２、１３）は、上記制御情報（７０．１、７０．２、７１．１、７２．１、７２．２、７３．１−７３．４）に基づいて上記コンテント（ＣＯＮＴ１−ＣＯＮＴ３）に受けさせる上記動作の少なくとも若干を断定するように配列されている、
ことを特徴とする電子機器（１０）。
【請求項１４】
上記制御情報（７０．１、７０．２、７１．１、７２．１、７２．２、７３．１−７３．４）は、上記情報（ＩＮＦＯ）内の上記コンテント（ＣＯＮＴ１−ＣＯＮＴ３）に接続されていることを特徴とする請求項１３に記載の機器（１０）。
【請求項１５】
上記動作は、ある確立された順序で遂行されるようになっていることを特徴とする請求項１３または１４に記載の機器（１０）。
【請求項１６】
上記制御情報は、ある動作を表す情報（７０．１、７０．２、７１．１）、及び上記動作が遂行される順序を表す情報（７３．１−７３．４）を含むようになっていることを特徴とする請求項１３−１５の何れかに記載の機器（１０）。
【請求項１７】
上記制御情報は、ある動作を受けさせるコンテント（ＣＯＮＴ１−ＣＯＮＴ３、７１．１）を定義する情報（７２．１、７２．２）を含むようになっていることを特徴とする請求項１３−１６の何れかに記載の機器（１０）。
【請求項１８】
上記動作は、上記コンテント（ＣＯＮＴ１−ＣＯＮＴ３）を、上記制御情報（７０．１、７０．２、７２．２）から認識された少なくとも１つのターゲット（５０、５５、７１．１）へ導くことを含むようになっていることを特徴とする請求項１３−１７の何れかに記載の機器（１０）。
【請求項１９】
上記ターゲットは、少なくとも１つのアプリケーションプログラム（５０、５５）であることを特徴とする請求項１３−１８の何れかに記載の機器（１０）。
【請求項２０】
上記コンテント（ＣＯＮＴ１−ＣＯＮＴ３）は、上記アプリケーションプログラム（５０、５５）の適用可能なフォーマットに変換されるようになっていることを特徴とする請求項１３−１９の何れかに記載の機器（１０）。
【請求項２１】
上記ターゲットは、例えばＥメールプログラム（５５）のようなデータ伝送アプリケーションであることを特徴とする請求項１３−２０の何れかに記載の機器（１０）。
【請求項２２】
上記ターゲットは、上記コンテント（ＣＯＮＴ１−ＣＯＮＴ３）が伝送される行先の１つまたはそれ以上のアドレス識別子（７１．１）であることを特徴とする請求項１３−２１の何れかに記載の機器（１０）。
【請求項２３】
少なくとも上記制御情報（７０．１、７０．２、７１．１、７２．１、７２．２、７３．１−７３．４）の認識に、上記機器（１０）に関連して配列されているパターン認識知識（１４、１５）が適用されるようになっていることを特徴とする請求項１３−２２の何れかに記載の機器（１０）。
【請求項２４】
上記情報（ＩＮＦＯ）は、電子機器の視覚化要素からイメージされるようになっていることを特徴とする請求項１３−２３の何れかに記載の機器（１０）。
【請求項２５】
情報（ＩＮＦＯ）を処理するためのソフトウェアプロダクト（３０）において、上記情報（ＩＮＦＯ）はコンテント（ＣＯＮＴ１−ＣＯＮＴ３）を含み、上記ソフトウェアプロダクト（３０）はメモリ手段（ＭＥＭ）及びプログラムコード（３１）を含み、上記プログラムコード（３１）はプロセッサ手段（ＣＰＵ）によって実行可能であり、且つ上記メモリ手段（ＭＥＭ）内に書き込まれており、上記メモリ手段（ＭＥＭ）は入力としてデジタル的にイメージ化された情報（ＩＮＦＯ）を受け、上記情報（ＩＮＦＯ）内の上記コンテント（ＣＯＮＴ１−ＣＯＮＴ３）に１つまたはそれ以上の動作を受けさせるようになっており、上記プログラムコード（３１）は、
―  上記情報（ＩＮＦＯ）から制御情報（７０．１、７０．２、７１．１、７２．１、７２．２、７３．１−７３．４）を認識するように構成されている第１のコード手段（３１．１）と、更に、
―  上記認識された制御情報（７０．１、７０．２、７１．１、７２．１、７２．２、７３．１−７３．４）に基づいて上記コンテント（ＣＯＮＴ１−ＣＯＮＴ３）に受けさせる上記１つまたはそれ以上の動作の少なくとも若干を断定するように構成されている第２のコード手段（３１．２）と、
を含むことを特徴とするソフトウェアプロダクト。
【請求項２６】
上記プログラムコード（３１）は、上記動作が遂行される順序を、上記制御情報（７０．１、７０．２、７１．１、７２．１、７２．２、７３．１−７３．４）から認識するように構成されている第３のコード手段（３１．３）を更に含むことを特徴とする請求項２５に記載のソフトウェアプロダクト（３０）。
【請求項２７】
上記プログラムコード（３１）は、上記動作を受けさせるコンテント（ＣＯＮＴ１−ＣＯＮＴ３）を認識するように構成されている第４のコード手段（３１．４）を更に含むことを特徴とする請求項２５または２６の何れかに記載のソフトウェアプロダクト（３０）。
【請求項２８】
上記プログラムコード（３１）は更に、上記コンテント（ＣＯＮＴ１−ＣＯＮＴ３）を、上記制御情報（７０．１、７０．２、７２．２）から認識された少なくとも１つのターゲット（５０、５５、７１．１）へ導くように構成されている第５のコード手段（３１．５）を含むことを特徴とする請求項２５−２７の何れかに記載のソフトウェアプロダクト（３０）。
【請求項２９】
上記プログラムコード（３１）のコード手段（３１．１−３１．５）の若干は、アプリケーションプログラム（５０−５６）に関連して統合されていることを特徴とする請求項２５−２８の何れかに記載のソフトウェアプロダクト（３０）。
【請求項３０】
上記プログラムコード（３１）と関連し、上記情報（ＩＮＦＯ）から少なくとも制御情報（７０．１、７０．２、７１．１、７２．１、７２．２、７３．１−７３．４）を認識するためにパターン認識知識（１４，１５）が適合されていることを特徴とする請求項２５−２９の何れかに記載のソフトウェア製品（３０）。
【請求項３１】
請求項１−１２の何れかによる方法に関連して使用するために適合可能なカメラ要素（ＣＡＭ）。
【請求項３２】
請求項１３−２４の何れかによる電子機器（１０）内で使用するために適合可能なカメラ要素（ＣＡＭ）。
【請求項３３】
電子情報を処理するための請求項１−１２の何れかに記載の方法の使用。
【請求項３４】
電子情報を処理するための請求項１３−２４の何れかに記載の電子機器（１０）の使用。
【発明の詳細な説明】
【技術分野】
【０００１】
本発明は情報を処理する方法に関し、上記情報はコンテントを含む。本方法は、
―  上記情報にデジタルイメージングを受けさせるステージと、
―  上記デジタル的にイメージされた情報内のコンテントに１つまたはそれ以上の動作を受けさせるステージと、
を含む。更に、本発明は、本発明による方法を実現するための対応電子機器、及びソフトウェアプロダクトにも関する。
【背景技術】
【０００２】
例えばポータブル電子機器のエンドユーザにとって、例えば「オフィス」文書のようなアプリケーション文書を公知の手法で作成し、制御することは複雑且つ時間がかかる。特に、小さく且つ限られている機器のキーパッド及びディスプレイを用いて「オフィス」文書を作成する（例えば、「ワード」、「エクセル」、または「パワーポイント」によって）ことは困難である。
【０００３】
始めは非電子的な情報を、ある別の物理媒体から電子形状化し、電子機器内においてそれに所望の動作を更に遂行することも困難である。より一般的に言えば、コンテント管理である。実際には、情報は、極く初期から機器上で達成しなければならない。ポータブル機器のユーザにとってこれらは大きい挫折感を与える事柄であり、従ってこれらは実際には重大な使い易さの問題を提起する。
【０００４】
公知のように、ポータブル機器においては情報供給及びディスプレイ手段は極めて制限されている。これは、例えばテキスト、表、または図面のようなコンテントを達成し、制御する場合にそれらの使用を制限する。更に、アプリケーションプログラムシステムは、エンドユーザがそのアプリケーションのユーザインタフェースに習熟すること、特に、エンドユーザがそれらとの対話活動を継続することを要求する。アプリケーション内で動作を遂行するためには、これはユーザがアプリケーションの使用に自分自身を習熟させることを必要とする。また、ユーザは、アプリケーションに典型的なファンクションシリーズに彼自身の作業経験を適合させる必要があり、この場合ユーザはアプリケーションプログラムの諸項に基づいて行動しなければならない。アプリケーションプログラムを円滑に使用するための学習は、学習曲線上のあるレベルに到達することが必要である。更に、アプリケーションプログラムを使用する場合、ユーザは彼の自然な日常的動作から離れて絶えずドリフトするようになる。
【０００５】
ポータブル機器のためのコンテントを作成する最新技術による基本的解決法は、文書を達成し、それらを使用して文書を仕上がった形状に印刷するために、いろいろな種類のオフィス機器を使用することである。結果として得られた文書を、ポータブル機器へ転写することができる。しかしながら、これは、ユーザが互いに離間した２つの機器を使用しなければならないので、使い易さの点から好ましくはない。一方の機器から別の機器へ文書を転写することは、動作にさらなる困難さを付加する。更に、幾つかのアプリケーションさえも制御する必要があり得る可能な別途動作を文書に対して遂行することも、ユーザの自然な動作から遠去かる。これらは、エンドユーザを混乱させ、これが日常的に反復される活動になっている場合にはユーザに挫折感を味合わさせることにもなり兼ねない。
【０００６】
より進歩した他の近代的な解決法の１つは、いろいろな種類のポータブル機器内に配列されて非電子的情報を電子形状に変換するカメラ手段を適用することである。このような解決法の１つが、米国特許第6,202,060 B1（Tran）に開示されている。このような解決法の場合も、ユーザは情報に影響する動作を遂行するために、機器及びアプリケーションプログラムを使用しなければならない。
【発明の開示】
【発明が解決しようとする課題】
【０００７】
本発明の目的は、情報に、少なくとも１つの動作を受けさせる方法を達成することであり、本方法はエンドユーザの観点からは努力を必要とせず、自然であり、またポータブル機器における応用に特に適するものである。本発明による方法の特徴は特許請求の範囲の請求項１に記載されており、機器の特徴は特許請求の範囲の請求項１３に記載されている。更に、本発明は対応するソフトウェアプロダクトにも関しており、その特徴は特許請求の範囲の請求項２５に記載されている。
【課題を解決するための手段】
【０００８】
情報を処理するための本発明による方法において、上記情報はコンテントを含み、
―  上記情報にデジタルイメージングを受けさせるステージと、
―  上記デジタルイメージされた情報内のコンテントに１つまたはそれ以上の動作を受けさせるステージと、
を含む。本方法においては、上記コンテントに対して遂行される動作の少なくとも若干は、上記情報に接続された制御情報に基づいて決定される。
【０００９】
一実施の形態によれば、ある確立された順序で遂行される幾つかの動作が存在し得る。もし動作の性質がそれを許すならば、同時実行も可能である。
【００１０】
“制御情報”という概念は、本発明においては極めて広義に解釈されたい。第１の実施の形態によれば、それは動作を表す情報を含むことができる。別の実施の形態によれば、それは動作が遂行される順序を表す情報を含むことができる。これは、１つより多くの動作が存在する場合に必要である。更に、第３の実施の形態によれば、制御情報は、動作が関連するコンテントを定義する情報を含むことができる。
【００１１】
“動作（アクション）”という概念も、本発明においては極めて広義に解釈されたい。第１の実施の形態によれば、動作は、本発明による方法の少なくとも若干のステージにおいて情報を導き、制御情報から認識された少なくとも１つのターゲット内にそれを埋め込むことを含むことができる。更に、これらに限定するものではないが、コンテントの編集及び分配も考え得る動作に属するものと見ることができる。
【００１２】
“ターゲット”という概念も、広義に解釈されたい。一実施の形態によれば、それは、例えばあるオフィスアプリケーションのような少なくとも１つのアプリケーションプログラムであることができる。もしアプリケーションプログラムが、例えば電子メールプログラムのようなデータ伝送アプリケーションであれば、制御情報はそれに提出されるターゲットを含むこともできる。これらは、例えば、確立されたフォーマットでコンテントが伝送される１つまたはそれ以上のアドレス認識子であることができる。
【００１３】
一実施の形態によれば、少なくとも制御情報の認識に、パターン認識知識及び知識ベースを適用することができる。制御情報に接続されている動作は、それらの中に定義されている。機器には、本方法を実現するための対応機能が設けられている。
【００１４】
本発明によれば、エンドユーザは最早、学習することが困難なアプリケーションプログラムのメニューの中で操作する必要はない。更に本発明によれば、日常的機能と見做される若干の動作を、エンドユーザが承認したものを除いて、可能な限り自然な動作によって（例えば、ペンと紙を使用して）完了まで実施することができる。カメラ及び種々のイメージ、パターン、及びテキスト認識を使用すると、機器は制御情報からコンテントのために望まれる動作を認識し、またこれらによって定義された機能を正しい順序で遂行する。本発明によってユーザに提供される自然な動作は、機器の使い易さという点から極めて重要である。
【００１５】
本発明によれば、コンテントの作成及び処理について数多くの長所が達成される。第１の長所は、機器環境において、所望の手法で、フォーマルな電子文書として少なくとも部分的に仕上げられた資料（これは、既に１回作られている）の利用、及びその処理及び分配において達成される。エンドユーザは、例えば、ある自然プレゼンテーション媒体または基本的アプリケーションプログラムを使用してコンテントを作成することができる。それから、コンテントを容易に、しかも努力することなく電子形状に変換することができ、またそれに所望の動作（一実施の形態によれば、確立された順序で遂行される一連の動作を構成する）を受けさせることができる。
【００１６】
本発明によれば、カメライメージング及びイメージ認識を使用する、より一般的に言えば、デジタルイメージングを適用することによって、例えば非電子的な元の媒体から直接的に、例えば「オフィス」文書のようなアプリケーション文書を作成することができる。本発明によれば、エンドユーザはコンテントを作成し、自然な作業によってそれに動作を受けさせることができる。本発明の方法によれば、機器は驚くべき技法でユーザの自然作業に馴染み、コンテントが受ける動作及びエンドユーザが情報内にフィットさせた確立された制御情報からそれらの遂行順序さえも断定することができる。従来技術と比較すると、状況変化は全く反対である。本発明によれば、アプリケーションプログラムは、驚くべきことにユーザの条件通りに作用する。
【００１７】
本発明の他の特色は特許請求の範囲に記載されており、より達成可能な長所は以下の説明から理解されよう。
【００１８】
以下に、添付図面を参照して本発明を説明するが、本発明は以下に説明する実施の形態に限定されないことを理解されたい。
【発明を実施するための最良の形態】
【００１９】
本発明は、情報ＩＮＦＯに動作を受けさせる方法、及びその方法を実現する電子機器１０に関する。更に本発明は、既存情報ＩＮＦＯを電子形状に変換するために使用することができる。
【００２０】
図１は、本発明による方法の主要実施の形態の概要を示すフローチャートである。詳述すれば、本発明は、エンドユーザが望む手法で、例えば「オフィス」文書のような電子コンテントの達成、及び／またはさらなる処理、及び／または分配に関する。
【００２１】
本発明においては、例えば機器１０内に設けられたカメラＣＡＭ、及びイメージ、パターン、及びテキスト認識１２−１５を使用することによって、例えば既存の源から電子コンテントを処理し、作成することができる。図１及び２に示す方法の説明には、図３に概要を示す本発明による電子機器１０の主実施の形態を参照されたい。機器１０は、本方法を実施するための手段を含む例えばモバイル局またはポータブルコンピュータのようなポータブル機器であることができる。更に、図４のソフトウェアプロダクト３０をも参照されたい。図４のソフトウェアプロダクト３０は、本発明による機器１０に用いて本発明による方法を少なくとも部分的に実現することができる。
【００２２】
エンドユーザは、情報ＩＮＦＯを有することができる。この情報ＩＮＦＯは、例えば電子的または非電子的形状で視覚化されており、またエンドユーザがその情報の少なくとも一部分に少なくとも１つの動作を受けさせるために、少なくとも部分的に所望のファイル形状の電子形状に変換することを望んでいる。一方、情報ＩＮＦＯの全部、または所望の部分だけの何れかを所望の電子フォーマットに変換することさえも、本発明における動作として理解されたい。
【００２３】
情報ＩＮＦＯは、少なくとも部分的に手動で、または少なくとも部分的にある電子機器を使用して、本発明によってどのようにも限定されない面を達成済みであることができる。情報ＩＮＦＯは、使用が極めて易しく且つ簡単なある基本アプリケーションプログラム（例えば、ＭＳウィンドウズ（登録商標）環境においては、ノートパッド、またはワードパッドアプリケーション）を使用して、例えばポータブルコンピュータのような電子機器内に達成済みであることができる。情報ＩＮＦＯを達成した後、これは、例えば紙上に印刷済みであることができ、それによって多分選択された部分から完全にされていることができる。一方驚くべきことに、情報の源は、コンピュータのディスプレイＭであることさえできる（ディスプレイ上に、エンドユーザのために情報が視覚化され、エンドユーザが情報の全部を達成している）。
【００２４】
情報ＩＮＦＯの源が例えばコンピュータのディスプレイＭである場合、本発明によれば２つの機器の間にデータ伝送インタフェースを配列することができる。本発明による考え得る制御情報と共に作成された情報は、それを作成した機器のディスプレイＭにおいて視覚化される。もし情報を、例えばモバイル局１０へ移動させたいのであれば、それは機器１０のカメラ手段ＣＡＭによってイメージされる。イメージングプロセスの後に、本発明による動作が遂行される。このインタフェース機能によって達成される長所の一例は、もしユーザがある文書をＥメールによって送りたいのであれば、その文書がインターネット接続されていないラップトップによって作成されることである。この実施の形態によれば、何等のワイヤーまたはワイヤレス接続セットアップをも行うことなく、イメージングを遂行するだけでよい。
【００２５】
情報ＩＮＦＯは、コンテントＣＯＮＴ１−ＣＯＮＴ５を含む。本発明では、コンテントＣＯＮＴ１−ＣＯＮＴ５を極めて広義に解釈されたい。それは、例えば、テキストコンテントＣＯＮＴ１、ＣＯＮＴ２、ＣＯＮＴ５数値データ、表ＣＯＮＴ４、図面、イメージＣＯＮＴ３、図形記述子、図表、プレゼンテーション図形、線８０、オブジェクト、パターン等であることができる。勿論、異なる型のコンテンツを互いに組合せることもできる。コンテンツＣＯＮＴ１−ＣＯＮＴ５は更に、ユーザがコンテンツＣＯＮＴ１−ＣＯＮＴ５の電子形状でも維持したいかも知れない種々のスタイル編集を含むことができる。
【００２６】
情報の考え得る源／作成媒体の他の若干の例は、一般的に、物理的及び触知可能な印刷物、フリップオーバーパッドであり、電子デバイスのための視覚化手段（例えば、ビデオプロジェクタスクリーン、モバイル局のディスプレイ、テレビジョンセット、またはコンピュータディスプレイＭ等）でさえある。本発明は、情報を処理する方法の使用、及び該方法を適用する機器１０の使用にも関する。
【００２７】
図１に示す簡易実施の形態を参照する。ステージ（i）において、ユーザは、彼が作成した、または既存の情報ＩＮＦＯを、本発明により確立された制御情報７０．１、７０．２、７１．１、７２．１、７２．２、７３．１−７３．４に接続する。この接続は、情報の作成と同様に、例えばある簡単なアプリケーションプログラムを使用することによって遂行することができる。一実施の形態によれば、制御情報は、情報ＩＮＦＯ内のコンテントＣＯＮＴ１−ＣＯＮＴ５にある確立された手法で接続、またはフィットさせることができる。制御情報の接続の手法及び／または形状はアプリケーション毎に別々に確立することができるので、それらは以下に示す実施の形態に限定されることはない。制御情報は自然文字（Ｗ、ｏ、ｒ、ｄ、”、）、文字によって形成された語（ワード、“Please …”）、例えば図形（→、矩形、楕円、円等）のような自然記号であることができる。一般に、制御情報は自然命令として理解することができ、これらの命令は、曖昧ではない意味（動作）を、及びエンドユーザが注目することを望む当該情報ＩＮＦＯはどれかを意味するように確立される。制御情報は、特定用途向けに確立して位置決めすることができるので、情報ＩＮＦＯ内のその位置及びその形状の固定定義は、必ずしも何等かの形状及び対応する意味に限定する必要はない。
【００２８】
ステージ（ii）において、エンドユーザは、機器１０に関連して配置されているカメラＣＡＭで彼がターゲットと定めた情報ＩＮＦＯに狙いをつけ、情報ＩＮＦＯをカメラＣＡＭで光学的に捕捉することによって情報の源Ｍを撮像する。より一般的に言えば、この動作はデジタルイメージングとして知られているものである。
【００２９】
ステージ（iii）において、捕捉された情報ＩＮＦＯは、機器１０内で電子データＤＡＴＡ１−ＤＡＴＡ３に変換される。以下に情報ＩＮＦＯに、及びそれを形成しているデータＤＡＴＡ１−ＤＡＴＡ３に言及する場合、その意味は原則として同一である。変換は、例えばカメラ機器ＣＡＭから、そのイメージ処理チェーンにおいて、または対応するソフトウェアにおいてそれ自体は公知の手法で行うことができる。デジタルイメージング自体でさえも、所望のデータを発生することができる。
【００３０】
ステージ（iv）において、エンドユーザがステージ（i）において情報ＩＮＦＯ内にセットした制御情報７０．１、７０．２、７１．１、７２．１、７２．２、７３．１−７３．４が、並びにそれに接続されているコンテントＣＯＮＴ１−ＣＯＮＴ３が、情報ＩＮＦＯから確立された手法で認識される。この目的のために、機器１０はイメージ情報ＩＮＦＯを分析する対応機能１２−１５を含む（これらの機能に関しては、後に図３及び４を参照してやや詳細に説明する）。認識及びそれに続くさらなる動作（例えば、コンテントＣＯＮＴ１−ＣＯＮＴ３の変換及び分配）は、例えば機器１０のプロセッサユニットＣＰＵ１６が実行可能であり、且つ本発明が関連しているプログラムコード３１を使用することによって行うことができる。
【００３１】
ステージ（v）において、少なくとも１つのコンテントＣＯＮＴ１−ＣＯＮＴ３に受けさせる１つまたはそれ以上の動作が決定される。機器１０はイメージ情報ＩＮＦＯから認識された制御情報に基づいて決定を行う。制御情報を認識するために、及び決定を行うために、機器１０には対応する知的イメージ分析機能１２が設けられており、また例えば（パターン認識）知識ベース１４、１５のような知識もそれのために設けられている。それら以外にも、機器は、制御情報によって定義されたコンテントＣＯＮＴ１−ＣＯＮＴ３を機器１０内において確立された手法で処理するコマンドディスパッチャ機能１６をも含んでいる。
【００３２】
ステージ（vi）において、例えば、以上に遂行された諸ステージの結論に基づいて、コンテントＣＯＮＴ１−ＣＯＮＴ３に対して少なくとも１つの動作を遂行することができる。以下に説明するように、この動作は、本発明に関しては極めて広義に解釈されたい。それは、例えば確立されたアプリケーション５０−５６内のコンテントＣＯＮＴ１−ＣＯＮＴ３の変換であることも、及び／または、電子形状に変換されたコンテントＣＯＮＴ１−ＣＯＮＴ３を、データ伝送ネットワークを通して、確立された手法で確立されたクォータ７１．１、７１．２へ伝送することであることもできる。この後に、本発明によるプロセスは、その基本的形状を完了する。
【００３３】
一実施の形態によれば、制御情報は、動作またはターゲットを表す情報７０．１−７０．５、７１．１、７１．２を含むことができる。もし幾つかの動作またはターゲットが存在すれば、制御情報は遂行されるステップの順序を表す情報７３．１−７３．４、７４．１−７４．４を更に含むことができる。これらのステップは、主として制御情報から認識された遂行順序に従う順序で遂行することができる。この順序を決める他の基準は、例えば編成されたコマンドのリストである（これらは、実行中に経験する）。このリスト内では、例えばコマンド“ワード（Word）”はコマンド“Ｅメール（Ｅmail）”の前にあることができる（何故ならば、殆どの場合、この逆の順序はありそうもないからである）。これは、更に複雑な動作シーケンスさえも可能にする。
【００３４】
一実施の形態によれば、制御情報は、動作を受けるまたはターゲットであるコンテントＣＯＮＴ１−ＣＯＮＴ３を定義する情報７２．１−７２．５を更に含むことができる。一実施の形態によれば、この情報は、ターゲットを形成しているコンテントＣＯＮＴ１、ＣＯＮＴ３、ＣＯＮＴ４、ＣＯＮＴ５、またはある特別な文字（例えば、“”）内に書かれたコンテントを確立された手法で取り囲む、例えば閉じた円／枠のような確立された形状の図形オブジェクトであることができる。円の形状から、例えば、確立された形状の円内に確立することができるコンテントＣＯＮＴ１−ＣＯＮＴ５の型を断定することができる。図５ａ及び５ｂにおいて、ＣＯＮＴ１、ＣＯＮＴ３−ＣＯＮＴ５はターゲットアプリケーション５０、５１、５５、５６内に埋め込まれる実際のコンテントを表すのに使用されている。枠７２．１、７２．３、７２．５は、例えば矩形のような角付きのオブジェクトを形成している。コンテントの定義は、特に、コンテントの認識の付加的な確実さ、及びそのターゲット定義を与える。
【００３５】
一実施の形態によれば、制御情報は、動作を表す情報７０．１、７０．２、７１．１を含むことができる。一実施の形態によれば、このステップはコンテントＣＯＮＴ１−ＣＯＮＴ３を、制御情報７０．１、７０．２から認識された少なくとも１つのターゲット５０、５５、７１．１へ導くことと理解することができる。一実施の形態によれば、ターゲットは少なくとも１つのアプリケーションプログラム５０、５５であることができる。アプリケーションプログラムの特性は、コンテントに対して行われるステップを決定することができる。このコンテントを導き、それをそのアプリケーションプログラム内に埋め込み、そしてそれを所望のファイルフォーマットでそこに格納することは、最も一般的な手法であると言うことができる。また、コンテントのパターンを、アプリケーションプログラムに特定のオブジェクトに変換することも勿論可能である。これは、文書のコンテントに、さらなる動作を受けさせ得る機会を与える。例えば、テキストパターンを有するコンテントをテキストオブジェクトに変換することができるので、それらは所望の手法で１つまたは複数のアプリケーションソフトウェアに編集することができる。制御情報７０．１−７０．５は、例えばアプリケーションを定義するための文字によって形成されたテキスト認識子を含むことができる。図５ａ及び５ｂの実施の形態においては、これらはワード、エクセル、及びアドビディスティラーである。コンテントＣＯＮＴ１−ＣＯＮＴ３は、アプリケーションプログラム５０、５５内に埋め込む時に、確立されたファイルフォーマットに変換される。これらは、例えばアプリケーションプログラムのためのデフォルトフォーマットであることができる。
【００３６】
別の実施の形態によれば、ターゲットは、例えばデータ伝送アプリケーションであることができる。その一例は電子メールプログラム５５であり、より特定的にそれに関連するコンテントとしては、それに適合させるアタッチメントファイルである。勿論、ＦＴＰアプリケーションも、またはウェブページをコンパイルするために使用されるアプリケーションプログラムさえも、これらの考え得るアプリケーションプログラムの他の例である。実施の形態から明らかなように、アプリケーションの純粋な名前認識子（ワード、エクセル、アドビディスティラー）の代わりに、所望の機能（Ｅメール）を使用することもできる。この機能は、それのために確立されたデフォルトプログラムによって遂行され、この場合のデフォルトプログラムは当該「アウトルック」Ｅメールアプリケーションプログラム５５である。
【００３７】
データ伝送アプリケーション５５の場合も、ターゲットは依然として１つまたはそれ以上のアドレス認識子７１．１、７１．２であることができる。このような１つの例は、ユーザがコンテントＣＯＮＴ１−ＣＯＮＴ５を送ることを望むことができるＥメールアドレスである。図５ａ及び５ｂに示すように、純粋なＥメールアドレスの代わりに、受信者７１．１、７１．２の名前を与えることもできる。これらに基づいて、Ｅメールアプリケーション５５は、そのアドレスのリストから対応する人７１．１、７１．２のために確立されたＥメールアドレスを取り込み、それらをアプリケーション５５の受信者フィールド内へ補足する。
【００３８】
また、動作を遂行する順序を表す情報７３．１−７３．４、７４．１−７４．４を、確立された手法で定義することができる。図示の実施の形態では、矢印記号７３．１−７３．４、７４．１−７４．４によって記述されている。また、矢印記号７３．１−７３．４、７４．１−７４．４のこのパターン認識知識はデータベース１３、１５内にあり、これは、一般的に、少なくとも制御情報７０．１、７０．２、７１．１、７２．１、７２．２、７３．１−７３．４の認識に適用することもできる。
【００３９】
図２は、図５ａで説明した本発明による方法の実施の形態のやや詳細なフローチャートである。この実施の形態においては、逐次的に遂行される幾つかの（少なくとも２つの）ステップが存在する状況が記述されている。これらのステップの少なくとも一部は、確立された手法で、情報ＩＮＦＯ内の制御情報として配列されている矢印７３．１−７３．４から、及びコンテントＣＯＮＴ１、ＣＯＮＴ２を限定する閉じた枠７２．１、７２．５から認識することができる順序で遂行される。括弧内の数（i−vi）は、本方法を形成している基本的な部分的ステップを表している。
【００４０】
ステージ２０１−２０３の後のステージにおいて、情報ＩＮＦＯから一連のステップの第１の接続７３．１が制御情報として認識される。第１の接続７３．１を認識するには、幾つかの代替が存在し得る。第１の実施の形態によれば、情報ＩＮＦＯは、イメージ情報ＩＮＦＯ内の最も上方に位置する制御矢印を探索することができる。別の実施の形態によれば、確立された形状を有する枠７２．１を探索することもでき、それから制御矢印７３．１として認識できるパターンを明らかにすることができる。
【００４１】
次に、ステージ２０５において、情報ＩＮＦＯから、第１の接続７３．１によって定義されるターゲット７０．１が認識される。ターゲットは、最初に見出された接続を示している矢印７３．１の頭で認識することができる。図５ａに示す実施の形態の場合には、ターゲット７０．１はアプリケーションプログラム（ワード ５０）である。またターゲット５０に関連して、確立された手法で埋め込まれるコンテントＣＯＮＴ１、ＣＯＮＴ３は、それらを取り巻く閉じた枠７２．１から認識される。枠７２．１の内側は更に、枠７２．５によって囲まれているコンテント図面ＣＯＮＴ３として認識される。これは、それ自体公知の手法でアプリケーションプログラム５０内に変換されるファイルコンテントにリンクさせることができる。
【００４２】
図５ｂから明らかなように、ターゲット定義内にはいろいろな確立された重点的に取り扱うパラメータもフィットさせることができる。これは、例えば、コンテントＣＯＮＴ４、ＣＯＮＴ５に望まれる編集、またはターゲットアプリケーション５１におけるそのプレゼンテーション手法に関係付けることができる。図５ｂに示す例においては、パラメータ（棒グラフ）が認識され、ターゲットを形成しているスプレッドシートアプリケーション５１内の付加された種類の棒グラフのフォーメーションを達成するようにセットされる。作成された棒グラフは、一般的に編集可能なタイル、軸、及び色のような棒グラフを特徴とするオブジェクト特性を有することができる。図５ｂは、極めて大まかに示しており、複数のパラメータが存在すること、及びそれらを制御情報７０．３内に報告していることを例示しているに過ぎないことを理解されたい。勿論、実際には、これらはより複雑に精緻化されていることができる。パラメータの別の例は、例えばプレゼンテーション図形またはテキスト処理アプリケーションに典型的な、プレゼンテーション／文書テンプレートを定義するパラメータ（図示してない）であることができる。この場合も、多くの代替が存在する。
【００４３】
接続ターゲット７０．１及びそれに関係するコンテントＣＯＮＴ１、ＣＯＮＴ３を認識すると、コンテントＣＯＮＴ１、ＣＯＮＴ３に対応するデータがターゲット５０内に埋め込まれる。ステージ２０６において遂行される埋め込みは、それ自体公知の手法で行うことができる。付加的なステップとして、ターゲットアプリケーション５０のファイルフォーマット内のデータの自発的変換及び格納を含むこともできる。これに関するより詳細な説明は不要であろう。
【００４４】
次のステージ２０７において、さらなる考え得る接続に関して、即ち、図示実施の形態の場合には指し示している矢印に関してイメージ情報ＩＮＦＯが探索される。もしそれ以上の接続が見出されなければ、プロセスはステージ「終わり」へ進んで本発明による方法は終了する。例えば、もしあるアプリケーションプログラムがコンテントＣＯＮＴ１、ＣＯＮＴ３のためのターゲットであったならば、即ち、コンテントＣＯＮＴ１、ＣＯＮＴ３がオープンファイルとしてアプリケーションプログラム５０内にあれば、本発明の方法は続行され、エンドユーザによって所望の手法で処理することができる。
【００４５】
しかしながら、もしイメージ情報ＩＮＦＯが依然として未処理接続７３．２−７３．４を含んでいることをステージ２０７において見出せば、処理はステージ２０８へ進む。未処理接続を指示している矢印７３．２をステージ２０８において探索し、例えば、第１の接続７３．１によって定義されているターゲット７０．１の近傍から上述した手法でパターン認識１３、１５を適用することができる。
【００４６】
プロセスは、ステージ２０８からステージ２０５へ戻る。このループは、ステージ２０７の条件が「Ｎｏ」になって本方法が完了させられるまで遂行される。
【００４７】
更に図５ａの実施の形態を参照する。ワード認識子から発している矢印７３．２がステージ２０８において認識される。これに続くステージ２０５において、Ｅメールアプリケーションが上記変換されたワードファイルターゲットとして認識される。先行ループ回路のステージ２０６において作成されたワードファイルは、今度は、今はメールアプリケーション５５内に確立された手法で埋め込まれているコンテントとして理解される。Ｅメールアプリケーション５５の場合、確立された手法は、Ｅメールアプリケーション５５を使用して伝送を意図するアタッチメントファイルとしてのワードファイルのセッティングであることができる。フローチャートでは、これはステージ２０６に対応している。
【００４８】
ステージ２０７において、未処理接続７３．３、７３．４として他の可能性が存在するか否か（矢印が見出されるか否か）が判断される。ステージ２０８において認識された一連のステップの次の接続は、等しい値の３つの矢印７３．３を含む。ステージ２０５において、それらは長円形の枠７２．２によって取り囲まれている指示名として認識される。矢印７３．３の等しさは、それらの元になっているコマンド認識７０．２から認識することができる。先行ターゲットはＥメールプログラム５５であったから、これら後続の多分１つまたはそれ以上の接続７３．３は、コンテントとして理解可能な関連ワードアタッチメントファイルが送られるＥメールアドレスを意味するようにセットされる。ステージ２０６として認識された名前に対応するＥメールアドレスがアプリケーション５５またはコンタクト情報アプリケーションのアドレスのリストから取り出され、Ｅメールアプリケーション５５の受信者フィールドに取付けられる。
【００４９】
更に、ステージ２０７において、もう１つの未処理接続７３．４が注目される。ステージ２０８において、未処理接続７３．４はコンテントＣＯＮＴ２であると認識され、Ｅメールヘッディングフィールド内にセットされる。ヘッディングであることを意図したテキストは今は引用符の間にあり、それから伸びる矢印７３．４はＥメールステップ７０．２を指しているから、それはステージ２０５においてヘッディングとして認識される。ステージ２０６において、引用符間のテキストはＥメールアプリケーション５５のヘッディングフィールド内に埋め込まれる。もし引用符間のテキストが、例えばワードアプリケーション５０を表す制御情報７０．１を指す矢印であれば、このテキストはそのワード文書に与えられる名前と解釈される。
【００５０】
図５ａの実施の形態においては、次のステージ２０７においてそれ以上の未処理接続は見出されないから、本方法は完了（終わり）にさせられる。図５ａの実施の形態においては、エンドユーザからのＥメール伝送承認を待機し続けることができる。一方、Ｅメールアプリケーション５５によってトリガされる自発的伝送を使用することもできる。しかしながら、Ｅメール伝送の最終承認をエンドユーザに要求する方がより実際的であるかも知れない。これが先ず第１であるのは、例えばテキスト認識及びワード文書の形成のステージにおいてエラーが発生する可能性があり、それは、コンテントＣＯＮＴ１、ＣＯＮＴ３で形成されたアタッチメントファイルを伝送する前に補正されるべきだからである。パターンからオブジェクトへの変換は、この件に長所を与える。第２に、エラーは受信者７１．１の認識においても発生し得たからである。Ｅメールは、必ずしも始めにそれが意図された受信者には行かない。勿論、これは極めて厄介である。
【００５１】
以下に、図５ｂに示す実施の形態を短く説明する。これは、図５ａによる実施の形態における手法と類似の手法で、図２に示すフローチャート手順を用いて説明することができる。但し、図２のフローチャートに不要に戻る必要はない。エンドユーザはペン及び紙を用いて、情報ＩＮＦＯを含むコンテントＣＯＮＴ４、ＣＯＮＴ５を表の形状で作成している。更に、エンドユーザは、彼が作成したコンテントＣＯＮＴ４、ＣＯＮＴ５に対して彼が好む動作を遂行させるために情報ＩＮＦＯと関連して本発明の特徴である制御情報７４．１−７４．４、７０．３−７０．５、７２．３、７２．４、７１．２も作成している。
【００５２】
コンテントＣＯＮＴ４、ＣＯＮＴ５は、イメージング及びデータ形成ステップ２０１−２０３の後に、スプレッドシートアプリケーション「エクセル」５１へ導かれる。これは情報ＩＮＦＯ内にエンドユーザの制御情報によって描かれ、関連アプリケーションプログラムのための認識子７０．３へ達する矢印７４．１から認識される。制御情報７０．３内のパラメータ指定子を使用すると、アプリケーションプログラム５１内の表データ（破線で示されている枠で表すこともできる）のためのプレゼンテーションモードを決定することもできる。図５ｂに破線枠で囲まれ、スプレッドシートアプリケーション５１内にコンテントＣＯＮＴ４、ＣＯＮＴ５で形成されているＸＬＳファイル形状の棒記述子ＢＤは、勿論、エンドユーザが紙のシート／ディスプレイ上に作成した情報ＩＮＦＯ内には存在しないが、図５ｂに関する説明の目的だけのために示されている。
【００５３】
スプレッドシートアプリケーション５１内の次のステージとして形成され、破線枠ＢＤ内に示されているＸＬＳファイルは、ＰＤＦ変換プログラム５６（それ自体は、例えば公知のプログラムであることができる）を表している識別７０．４へ矢印７４．２によって導かれる。ＰＤＦファイルはこれによって変換され、エンドユーザはＥメールプログラム５５をこれも紙シート上に書かれている確立された受信者７１．２へ更に伝送するように導くことを望む。これらのステージは、図５ａに示した実施の形態と同じように遂行することができる。
【００５４】
図４は、本発明による電子機器１０の主要な実施の形態の概要図である。同時に、関連機器技術に関して図２のフローチャートの諸ステージをも参照されたい。例えばモバイル局であることができる機器１０は、ステージ２０２においてコンテントＣＯＮＴ１−ＣＯＮＴ３を含む情報ＩＮＦＯをデジタルイメージングするためのカメラ手段ＣＡＭを含む。イメージされた情報ＩＮＦＯは、例えば機器１０のプロセッサＣＰＵによって処理され、ステージ２０３において本発明が要求する機能のためのデータＤＡＴＡ１−ＤＡＴＡ３であるデジタル形状にされる。これら以外にも、機器１０には公知のカメラインタフェースＣＡＭＩＭＡＰＩも設けられており、これはセンサＣＡＭが形成したイメージデータＤＡＴＡを所望の手法で処理するために使用される。また、本発明によれば、これは更に機能１２−１６へ導かれる。
【００５５】
機器１０は、例えばアプリケーションスーツ６０−６２のような、例えばそれらの型に従って分割することができる１つまたはそれ以上のアプリケーション５０−５６をも含む。
【００５６】
制御情報の認識のために、機器１０は、カメラ手段ＣＡＭによって形成されたイメージデータから制御情報を認識するために、パターン知識データ１４、１６及び対応する機能１２、１３を含む。イメージ分析機能１２を走らせるプロセッサユニットＣＰＵが使用するためのこの知識データ１４、１５を設けることによって、イメージ情報ＩＮＦＯ内に含まれる制御情報、並びにこれらに対応して確立された動作を探り出すことができる。知識１４、１５は、アプリケーションプログラムに特定のオブジェクト変換へのパターンを処理することもできる。動作の遂行及び制御は、コマンドディスパッチャ１６によって制御することができる。これは、カメラ手段ＣＡＭによって形成されたイメージ情報ＩＮＦＯの確立された部分を、アプリケーションインタフェースへ供給（マップ）すると同時に、アプリケーションプログラム５０−５６またはそれらによって形成されるチェーンに命令して制御情報内に定義されている方法で情報ＩＮＦＯを処理させ、操作させる。
【００５７】
本発明は、電子機器１０とだけではなく、本発明による方法に関連して使用するように適合させることができるカメラ要素ＣＡＭにも関する。
【００５８】
図４は、本発明によるソフトウェアプロダクト３０の実施の形態の概要図である。ソフトウェアプロダクト３０は、メモリ手段ＭＥＭ、及び機器１０のプロセッサユニットＣＰＵによって実行可能であり、且つ本発明の方法に従って少なくともソフトウェアレベルで情報（コンテントＣＯＮＴ１−ＣＯＮＴ３を含む）を処理するためにメモリ手段ＭＥＭ内に書き込まれたプログラムコード３１を含むことができる。プログラムコード３１のためのメモリ手段ＭＥＭは、例えばポータブル機器に適合可能なメモリカード、ＰＣ環境内に適合可能なＣＤ媒体、または機器１０のスタティックまたはダイナミックメモリであることができ、直接統合することができる。
【００５９】
プログラムコード３１は、プロセッサ手段ＣＰＵ１６によって実行することができ、且つその動作を上述した方法に適合させることができる幾つかのコード手段３１．１−３１．５を含むことができる。コード手段３１．１−３１．５は、逐次的に実行可能な１組のプロセッサコマンドを形成することができ、これらは本発明による望ましい機能を本発明による機器１０内に達成するために使用される。
【００６０】
プログラムコード３１は、デジタル的にイメージされた情報ＩＮＦＯを受け、情報ＩＮＦＯ内のコンテントＣＯＮＴ１−ＣＯＮＴ３に１つまたはそれ以上の動作を受けさせるようにする。この目的のために、プログラムコード３１は、情報ＩＮＦＯから制御情報７０．１、７０．２、７１．１、７２．１、７２．２、７３．１−７３．４を認識するように構成されている第１のコード手段３１．１を含む。更に、プログラムコードは、コンテントＣＯＮＴ１−ＣＯＮＴ３に受けさせる１つまたはそれ以上の動作の少なくとも若干を、認識された制御情報７０．１、７０．２、７１．１、７２．１、７２．２、７３．１−７３．４に基づいて決定するように構成されている第２のコード手段３１．２を含むことができる。
【００６１】
プログラムコード３１は、制御情報７０．１、７０．２、７１．１、７２．１、７２．２、７３．１−７３．４から、動作が遂行される順序を認識するように構成されている第３のコード手段３１．３を更に含むことができる。プログラムコード３１は更に、動作を受けるコンテントＣＯＮＴ１−ＣＯＮＴ３を認識するように構成されている第４のコード手段３１．４と、制御情報７０．１、７０．２、７２．２から認識された少なくとも１つのターゲット５０、５５、７１．１へコンテントＣＯＮＴ１−ＣＯＮＴ３を導くように構成されている第５のコード手段３１．５とを含むことができる。
【００６２】
プログラムコード３１に関連して、パターン認識知識１４、１５は、情報ＩＮＦＯから少なくとも制御情報７０．１、７０．２、７１．１、７２．１、７２．２、７３．１−７３．４を認識するようになっている。パターン認識知識１４、１５は、認識されたコンテントパターンを変換して、アプリケーションプログラム毎に特徴を有するように改訂されたオブジェクトにすることをも可能にする。プログラムコード３１は、その目的のために対応するコード手段３１．６を含む。
【００６３】
当業者には明らかなように、プログラムコード３１は、独立したアプリケーションとして、またはそれらをモジュールとして形成させることができるような、確立された手法で実現することができる。それらの少なくとも若干は、例えば、上述したアプリケーションプログラム５０−５６と、またはアプリケーションスーツ６０−６２と、または直接的にオペレーティングシステムレベルのような他のアプリケーションと統合、またはリンクさせることができる。
【００６４】
以上に、モバイル局１０が本発明による情報処理のためにカメラ手段ＣＡＭを備えている実施の形態の場合に関して説明したが、本発明の基本的な概念は、例えばラップトップコンピュータにも適用可能である。このような場合、機器（モバイル局またはデジタルカメラ）のカメラ手段ＣＡＭは、ラップトップコンピュータに作動的に接続される。この接続は、例えば、ＵＳＢ接続、またはブルートゥース接続のようなある無線接続のような公知の種類のその型上にあることができる。イメージ情報ＩＮＦＯはカメラ手段ＣＡＭによって捕捉され、ラップトップコンピュータへ伝送され、コンピュータにおいて本発明による処理が遂行される。従って、カメラＣＡＭは必ずしも、本方法による方法が遂行される機器と同一の機器内にある必要はない。
【００６５】
以上の説明及び関連図面は、単なる例示に過ぎないことを理解されたい。従って、本発明は上述した実施の形態に限定されるものではなく、当業者ならば特許請求の範囲に記載されている本発明の範囲内において多くの変形及び変更を考案することが可能であろう。
【図面の簡単な説明】
【００６６】
【図１】本発明による方法の主要実施の形態の概要を示すフローチャートである。
【図２】本発明による方法の第１の主実施の形態を示すフローチャートである。
【図３】本方法を適用した本発明による電子機器の主実施の形態の概要図である。
【図４】電子機器内において本発明による手法で処理するための本発明によるソフトウェアプロダクトの実施の形態である。
【図５】ａ及びｂは、本発明の方法によって処理される情報の若干の実施の形態を示す図である。
【図１】
2008519344.tif 000003
【図２】
2008519344.tif 000004
【図３】
2008519344.tif 000005
【図４】
2008519344.tif 000006
【図５ａ】
2008519344.tif 000007
【図５ｂ】
2008519344.tif 000008
【国際調査報告】
2008519344.tif 000009
2008519344.tif 000010